(57)【要約】【課題】  葬儀の際に、親族や会葬者等の氏名を表示して祭壇の前の両側方に配列、設置し、厳粛な雰囲気を醸しながら故人を弔うことができる献燈台を提供する。【解決手段】  有底短筒状の献燈台主体１の背面に縦長長方形状の献燈者表示用透明板２を上方に向かって立設してあり、この献燈者表示用透明板２内に上端開口部を差込口に形成した縦溝５を設けてこの縦溝５内に、献燈料を収めた献燈者の氏名を表記した献燈者記入紙６を挿入し、上記献燈台主体１内でロウソク３を灯して献燈台表示透明板２内の献燈者記入紙６を照明するように構成している。そして、この献燈台を祭壇前の両側方に並列させるように構成している。【選択図】    図１
2009225902.tif 000002
【特許請求の範囲】
【請求項１】
上端が開口している有底短筒状の献燈台主体と、この献燈台主体の背面に一体に設けられて献燈台主体から上方に突出している縦長長方形状の献燈者表示用透明板と、上記献燈台主体内に設置されるロウソクとからなり、上記献燈者表示用透明板に上端を献燈者記入紙の差込口に形成している記入紙収納用縦溝を設けていて、この縦溝内に上記差込口から献燈者記入紙を挿脱可能に収納するように構成していることを特徴とする葬儀用献燈台。
【請求項２】
ロウソクは皿状容器内の固形ろうの中心に芯を植設してなり、このロウソクをロウソク収納有底筒内に入れて該収納有底筒を献燈台主体内に設置するように構成していることを特徴とする請求項１に記載の葬儀用献燈台。
【請求項３】
献燈台主体は献燈者表示用透明板と同じ耐熱性を有する透明な硬質合成樹脂からなると共に、ロウソク収納有底筒は耐熱性を有する透明な硬質合成樹脂又はガラスからなることを特徴とする請求項１又は請求項２に記載の葬儀用献燈台。
【請求項４】
ロウソクに代えてスイッチの開閉操作によって点灯、消灯するロウソク形電灯を献燈台主体内に配設していることを特徴とする請求項１に記載の葬儀用献燈台。
【請求項５】
献燈台主体は、献燈台主体の底部を受止する下側支持枠部と、献燈台主体の上部外周面を囲む上側支持枠部とからなる献燈台収納枠に着脱自在に配置可能な大きさ、形状に形成されていることを特徴とする請求項１ないし請求項４のうち、いずれか１項に記載の葬儀用献燈台。
【請求項６】
献燈台収納枠を複数個、小間隔毎に横列状態に連設してなる上側台座と下側台座とを形成し、この上側台座と下側台座とを段状に連結して献燈台配列台座に形成していることを特徴とする請求項５に記載の葬儀用献燈台。
【発明の詳細な説明】
【技術分野】
【０００１】
本発明は、葬儀の際に、祭壇の前に配列状態で設置して故人を弔うための献燈台に関するものである。
【背景技術】
【０００２】
一般に葬儀の際には、知人や親族、会社等から個人名や会社名を記載した一対の樒が供えられたり供花が行われたりしているが、場所によっては櫁等の配設数に制限を受ける場合があり、このような事態を生じた時には樒等に代わり、供えた人が特定できるなんらかのお供えが必要とされる。また、樒などを供えることがない家族葬のような場合においても、祭壇の前に供えて故人を弔うことができる灯明台のような葬儀用供器が要望されている。
【０００３】
灯明台としては、例えば、特許文献１に記載されているように、墓石用としてロウソク立て設置台を設けてなるものが一般に知られており、このロウソク設置台は、ロウソク立てを設置する水平台部とこの水平台部の一側端から上方に向かって起立した垂直壁部とからなり、墓石の前部両側に設置した通気孔を有する筐体内に出し入れ可能に配設されている。
【０００４】
一方、神前や仏前に設置されて多数本のロウソクを灯す灯明台も知られている。この灯明台は、例えば、特許文献２に記載されているように、複数本のロウソク支持ピンを横方向に所定間隔毎に突設してなる横長長方形状の水受皿を架台に段状に配設してなり、参拝や拝観等の際に、支持ピンにロウソクを立てて献燈するように構成している。
【０００５】
【特許文献１】特開２００７−３２７３２３号公報
【特許文献２】特開２００３−３０４９６７号公報
【発明の開示】
【発明が解決しようとする課題】
【０００６】
しかしながら、前者のような灯明台は、単に墓石を照明するために用いられているものであって、このような透明台を葬儀用の供具として採用しても、通常のロウソク立ての機能を果たすだけで、知人や親族等の特定された人との関連性が何等有していないために、特定の人の献燈台としての機能を奏することができない。
【０００７】
一方、後者の灯明台においては、神社等に献燈料を収めて灯明台にロウソクを灯すようにしているが、灯明台自体は上記前者に記載の灯明台と同様に、単に、ロウソク立ての機能を果たすに過ぎず、不特定の参拝者用としての献燈台の役目を果たしても、献燈した人を認識することができないために、葬儀時における特定された人の献燈台として採用するには不適当である。
【０００８】
本発明はこのような問題点に鑑みてなされたもので、その目的とするところは、葬儀時において、樒や供花等に代えて或いはこれらと共に使用可能にし、親族や会葬者等の氏名を表示した状態で祭壇前の両側方に配列、設置して尊厳な雰囲気を醸しながら故人を弔うことのできる葬儀用献燈台を提供するにある。
【課題を解決するための手段】
【０００９】
上記目的を達成するために、本発明の葬儀用献燈台は、請求項１に記載したように、上端が開口している有底短筒状の献燈台主体と、この献燈台主体の背面に一体に設けられて献燈台主体から上方に突出している縦長長方形状の献燈者表示用透明板と、上記献燈台主体内に設置されるロウソクとからなり、上記献燈者表示用透明板に上端を献燈者記入紙の差込口に形成している記入紙収納用縦溝を設けていて、この縦溝内に上記差込口から献燈者記入紙を挿脱可能に収納するように構成している。
【００１０】
このように構成した葬儀用献燈台において、請求項２に係る発明は、皿状容器内の固形ろうの中心に芯を植設してなる高さの低いロウソクをロウソク収納有底筒内に入れて該収納有底筒を献燈台主体内に設置するように構成していることを特徴とし、請求項３に係る発明は、上記献燈台主体を献燈者表示用透明板と同じ耐熱性を有する透明な硬質合成樹脂から形成し、ロウソク収納有底筒を耐熱性を有する透明な硬質合成樹脂又はガラスから形成していることを特徴とする。
【００１１】
また、請求項４に係る発明は、上記ロウソクに代えてスイッチの開閉操作によって点灯、消灯するロウソク形電灯を献燈台主体内に配設していることを特徴とする。
【００１２】
請求項５、請求項６に係る発明は、本発明献燈台を祭壇前に整然と配列、設置させるのに適した献燈配列台座の好ましい構造に関するもので、献燈台主体の底部を受止する下側支持枠部と、献燈台主体の上部外周面を囲む上側支持枠部とからなる献燈台収納枠を複数個、小間隔毎に横列状態に連設することにより台座を形成し、この台座を上側と下側とに段状に連結して献燈台配列台座を形成している。
【発明の効果】
【００１３】
請求項１に係る発明によれば、内部にロウソクを設置する有底短筒状の献燈台主体の背面に、上端を献燈者記入紙の差込口に形成している記入紙収納用縦溝を設けた縦長長方形状の献燈者表示用透明板を一体に立設しているので、会葬者等が献燈料を収めて献燈者記入紙に氏名を記載し、この献燈者記入紙を献燈台主体の背面に立設している縦長長方形状の透明板内に挿入した状態にしてこの献燈台を祭壇前に配置することにより、供花などと同様に献燈者の氏名を表示することができ、献燈台主体内でロウソクを灯して故人を厳粛に弔うことができる。
【００１４】
この際、透明板には上端を差込口に形成している表示紙収納用縦溝を設けているので、透明板内への献燈者記入紙の出し入れが円滑且つ正確に行えるのは勿論、献燈者記入紙が透明板によって保護されて損傷する虞れもなく且つ緊張状態にして明確な表示を可能にすることができる。さらに、この透明板の下端部前面にロウソクを設置する上端が開口した有底短筒状の献燈台主体を一体的に設けているので、この献燈主体内で灯すロウソクの明かりによって透明板内の献燈者記入紙を透明板を通じてあたかも浮き上がらせるようにして表示させることができる。その上、献燈者記入紙には葬儀に相応しい花模様等と共に献燈の文字を記載しておくことによって、祭壇と良く調和した献燈台を提供することができる。
【００１５】
請求項２に係る発明によれば、上記有底短筒状の献燈台主体内に設置するロウソクは、皿状容器内の固形ろうの中心に芯を植設してなり、このロウソクをロウソク収納有底筒内に入れて該収納有底筒を献燈台主体内に設置するように構成しているので、献燈台主体の背面から上方に立設している透明板の表面はこのロウソクによって隠蔽されることなく全面的に露呈させておくことができると共に、下方からのロウソクの灯火によって該透明板の表面全体を照射し、明確な表示を可能にする。
【００１６】
請求項３に係る発明によれば、上記献燈台主体は、献燈者表示用透明板と同じ耐熱性を有する透明な硬質合成樹脂からなると共にロウソク収納有底筒は、耐熱性を有する透明な硬質合成樹脂又はガラスからなるので、ロウソクの熱によって献燈台主体や透明板が変形する虞れはないのは勿論、ロウソクの炎が透明な献燈台主体を通じて外部に朧げに現出して、ロウソクにより照らされる透明板内の献燈者記入紙と共に葬儀に相応しい荘重な雰囲気を醸し出すことができる。
【００１７】
一方、請求項４に係る発明によれば、ロウソクに代えて、スイッチの開閉操作により点灯、消灯するロウソク形電灯を献燈台主体内に配設しているので、ロウソクのように燃焼時間や不測の消灯などを懸念することなく、常に、一定の照度でもって安全に照明することができる。
【００１８】
また、請求項５に係る発明によれば、上記献燈台主体は、献燈台主体の底部を受止する下側支持枠部と、献燈台主体の上部外周面を囲む上側支持枠部とからなる献燈台収納枠に着脱自在に配置可能な大きさ、形状に形成されているので、この献燈台収納枠に献燈台主体を収納、設置して安定した状態で配設することができるばかりでなく、献燈台主体の底部を受止する下側支持枠部の下方空間部を流通する空気流によって献燈台主体の底部を冷却させることができ、ロウソクからの発熱による献燈台主体内の空気の過剰な温度上昇を抑制して安全に設置しておくことができる。
【００１９】
さらに、請求項６に係る発明によれば、上記献燈台収納枠を複数個、小間隔毎に横列状態に連設して上側台座と下側台座とに形成し、この上側台座と下側台座とを段状に連結して献燈台配列台座を形成しているので、この献燈台配列台座を供花台上や祭壇前の焼香台の両側に設置した台上に載置することにより、各献燈台収納枠に献燈台を収納、立設して複数の献燈台を整然と並列させることができ、一層、厳粛な雰囲気のもとで葬儀を執り行うことができる。また、葬儀後においては、献燈台配列台座や多数の献燈台の撤去、保管作業が円滑に行うことができる。
【発明を実施するための最良の形態】
【００２０】
次に、本発明の具体的な実施の形態を図面について説明すると、図１は使用状態を示す葬儀用献燈台Ａの斜視図、図２はその縦断側面図であって、この献燈台Ａは、上端が開口している有底短筒状の献燈台主体１と、この献燈台主体１の背面に一体に設けられて献燈台主体１から上方に突出している縦長長方形状の献燈者表示用透明板２とからなり、献燈台主体１内にはロウソク３を、該ロウソク収納有底筒４内に設けた状態で設置可能に構成している。上記献燈台主体１と献燈者表示用透明板２とは、アクリル樹脂やポリカーボネート樹脂等の耐熱性を有する透明な硬質合成樹脂からなると共に、ロウソク収納有底筒４は耐熱ガラス又は献燈台主体１と同じ樹脂によって形成されている。
【００２１】
さらに詳細に説明すると、献燈台主体１は図３〜図９にも示すように、厚さが３〜４mm程度で大きさが６cm角程度の底部1aと、この底部1aの四方端縁辺から上方に突設している高さが４cm程度の周壁部1bとからなる平面矩形状の有底短筒形状に形成されている。なお、周壁部1bにおける後側壁部は、上記献燈者表示用透明板２の後端部によって形成されている。具体的には、献燈台主体１における底部1aの前端縁辺と両側端縁辺とに底部1aと略同一厚の前壁部と両側壁部との下端を一体に設けていると共に、底部1aの後端縁辺と周壁部1bにおける上記両側壁部の後端面に、この底部1aと同一幅を有し、且つ、高さが14〜17cmの縦長長方形状の上記献燈者表示用透明板２の下端部前面における下端部と両側端部とを当接させた状態にして一体に固着させることにより、この献燈者表示用透明板２の下端部によって上記周壁部1bの後側壁部を形成している。しかしながら、この構成に限定されることなく、献燈台主体１を有底角筒形状に形成してこの後側壁部の外壁面に上記献燈者表示用透明板２の下端部前面を一体に接合、固着しておいてもよい。
【００２２】
献燈者表示用透明板２は、厚みが0.7mm 〜1.0mm 程度に形成されていると共にその内部に上端面から下端部に達する正面縦長長方形状の縦溝５を設けている。この縦溝５は前後方向の開口幅が２mm程度で左右方向の幅が該献燈表示用透明板２の横幅よりも４〜５mm程度狭い幅に形成され、上方に向かって開口している上端を後述する献燈者記入紙６の差込口5aに形成していると共に深さを献燈者表示用透明板２の高さよりも僅かに浅くしてその下端に献燈者記入紙６の下端を受止する内底面5bに形成している。なお、縦溝５は、献燈者表示用透明板２の前後厚み方向において後部側に設けられている。即ち、縦溝５の前壁面と透明板２の前面との間の厚みを縦溝５の後壁面と透明板２の後面との間の厚みよりも厚く形成している。このように、縦溝５から前面側の透明板２前部の厚みを厚くしているのは、ロウソク３の燃焼熱によって透明板２が変形等するのをなくするためであるが、透明板２が充分な耐熱性を有していればこのように構成する必要はない。
【００２３】
この縦溝５内に差込口5aから挿入、抜き取り可能に収納する献燈者記入紙６は、縦溝５の横幅よりも僅かに幅狭く且つ長さが縦溝５の縦幅に略等しい縦長長方形形状に形成されていて、その表面に葬儀にマッチする花模様7aを印刷していると共に表面上端部に「献燈」の文字を記載してあり、さらに、裏面に献燈者の氏名記入欄7bを設けているが、献燈者の氏名記入欄を表面側に設けておいてもよい。この場合、その記入欄と共に花模様等を印刷しておいてもよい。なお、透明板２の背面における上端部中央を半円状に切欠いて記入紙引出用切欠部2aに形成していると共に、背面中央部に縦長長円形状の透孔2bを設けてロウソク３により加熱される献燈者表示用透明板２からの放熱を該透孔2bによって促進させるように構成しているが、このような構成は必ずしも備えておく必要はない。
【００２４】
上記有底短筒状の献燈台主体１内に設置するロウソク収納有底筒４は、献燈台主体１の対向する内壁面間の幅よりも僅かに小さい外径を有し、且つ、その高さを上端部が献燈台主体１の上端から突出する高さに有する円筒形状に形成していて、内部に収納するロウソク３の燃焼熱が献燈台主体１内に滞留しないように構成している。なお、このロウソク収納有底筒４の肉厚は、献燈台主体１と同等ないしはやや厚く形成している。
【００２５】
ロウソク３は、円柱形状のロウソクではなく、図１、図２に示すように、ロウソク収納有底筒４よりも小径で且つこのロウソク収納有底筒４の下端部内に収納可能な高さの低い浅底皿形状に形成されたアルミ製の皿状容器3a内に固形ろう3bを充填し、この固定ろう3bの中心に芯3cを植設してなるものである。
【００２６】
次に、このように構成した献燈台Ａの使用態様を説明すると、葬儀の参列者や親族等が献燈料を収めることによって一台の献燈台Ａを借り受け、献燈者記入紙６に氏名を記入したのち、この献燈者記入紙６を献燈台Ａの献燈者表示用透明板２に設けている縦溝５内に差し込んで収納することにより、この透明板２を通じて献燈記入紙６を外部から透視可能にする。
【００２７】
次いで、この献燈台Ａを図10に示すように、献燈台主体１内に設置したロウソク収納有底筒４内のロウソク３を灯した状態にして、祭壇10の前に設けている焼香台11の両側部に配置した配列台12、12上に、その献燈台主体１を前側に向けた状態で設置する。そして、献燈者を記載した献燈台Ａを複数台、該配列台12上に横方向に一定間隔毎に整然と並べて供える。この場合、複数台の献燈台Ａを配列台12上に整然と設置する作業が煩わしくて手間を要し、且つ、一度、整列させても他物等の接触や振動によって配列が崩れる虞れがあり、さらに、多数の献燈台Ａを前列と後列とに別けて設置した場合には、後列の献燈台Ａが前列の献燈台Ａによって一部を隠蔽された状態となるので、このような難点を解決するために、前列と後列とに複数台の献燈台Ａを整然と段状に配置することができる献燈台配列台座Ｂを使用する。
【００２８】
この献燈台配列台座Ｂは、図11〜図13に示すように、献燈台主体１の底部を受止する下側受止枠部21と、献燈台主体１の上部外周面を囲む上側支持枠部22とからなる献燈台収納枠20を複数個、横方向に小間隔毎に連設してなる上側台座B1と下側台座B2とを形成し、これらの上下台座B1、B2を前後方向に段状に連結してなるものである。
【００２９】
さらに、この献燈台配列台座Ｂの構成を詳しく説明すると、金属線材によって同一大きさの平面横長長方形状の上枠b1と下枠b2とを形成し、これらの上枠b1と下枠b2とを献燈台主体１の高さよりも狭い上下間隔を存して上下に対向させ、この上下枠b1、b2を同じく金属線を門形状に屈折してなる仕切枠片b3によって長さ方向に一定間隔毎に仕切って、左右に隣接する仕切枠片b3、b3とこれらの仕切枠片b3、b3間の上下枠部で囲まれた空間部を一台の献燈台主体１を収納可能な上記収納枠20に形成している。
【００３０】
具体的には、上枠b1と下枠b2との前後幅は献燈台主体１の前後幅よりも僅かに幅広く形成してあり、仕切枠片b3はその水平杆部b3-1の長さを上記上下枠b1、b2の前後対向面間の間隔に等しく、該水平杆部b3-1の長さ方向の両端から下方に向かって上枠b1と下枠b2との上下間隔よりもやや長い垂直な脚杆部b3-2、b3-2を屈曲形成し、この仕切枠片b3の水平杆部b3-1の長さを前後方向に向けてその前後脚杆部b3-2、b3-2の上下端部を上下枠b1、b2の対向面に溶接によって固着している。この際、この仕切枠片b3、b3を２本、献燈台主体１の横幅よりも狭い一定の小間隔を存して左右に並設し、この二本の仕切枠片b3、b3を一組にして複数組、献燈台主体１の横幅間隔よりも僅かに大きい間隔毎に上記のようにその前後脚杆部b3-2、b3-2の上下端部を上下枠b1、b2の対向面に溶接によって固着することにより、横方向に並設した複数の献燈台主体収納枠20を有する上側台座B1と下側台座B2とを形成している。
【００３１】
さらに、上側台座B1においては、平面横長方形状の上枠b1と下枠b2とを献燈台主体１の高さの略半分程度に等しい上下間隔を存して対向させていると共に下枠b2の両側長辺枠部の内側に沿って献燈台主体１の外底面を受止する上述した下側受止枠部21を形成した細幅帯板形状の受止桟材b4、b4を平行に配し、これらの受止桟材b4、b4の長さ方向の両端を下枠b2の短辺枠部の前後部に溶接によって固着すると共に、その前後方向に向けている外側端面を仕切枠片b3、b3の前後脚杆部b3-2、b3-2の下端部対向面に溶接によって固着している。
【００３２】
一方、下側台座B2においては、平面横長方形状の上枠b1と下枠b2との上下間隔を上側台座B1の上下枠b1、b2の間隔よりも広くしていると共に上枠b1から献燈台主体１の高さの略半分程度に等しい間隔を存した下方部に上記と同じ前後一対の細幅帯板形状の受止桟材b4、b4を互いに平行に配設し、その長さ方向の両端部を下方に屈折させてその屈曲端を下枠b2の短辺枠部の前後部に溶接によって固着すると共にその前後方向に向けている外側端面を仕切枠片b3、b3の前後脚杆部b3-2、b3-2の長さ方向の中間部対向面に溶接によって固着している。
【００３３】
この下側台座B2の下枠b2における後側枠部の両側端部に一定長さの水平支持杆C1、C1の前端を溶接によって固着してこれらの水平支持杆C1、C1を後方に向かって平行に突設すると共にこれらの水平支持杆C1、C1の後端部に上側台座B1の前後幅間隔を存して一定長さを有する前後一対の垂直支持杆C2、C3を突設し、これらの垂直支持杆C2、C3の上端を上側台座B1の下枠b2の両側端部に溶接によって固着することにより、上側台座B1と下側台座B2とを前後に一定間隔を存した状態で支持杆C1〜C3を介して段状に一体化した献燈台配列台座Ｂを構成している。さらに、下側台座B2の下枠b2における後側枠部の中央部に上記水平支持杆C1と同一長さの固定用水平帯板材C4を後方に向かって突設し、この固定用水平帯板材C4の後端部と長さ方向の中間部とに上方に向かっ垂直支持杆C2、C3を突設してこれらの垂直支持杆C2、C3の上端を上側台座B1の下枠b2の中央部に溶接によって固着している。
【００３４】
このように構成した献燈台配列台座Ｂ、Ｂを図10に示すように、祭壇10の前に設けている焼香台11の両側部に配置した配列台12、12上に設置する。この際、下側台座B2の外底面とこの外底面から後方に向かって面一状に水平に突設している水平支持杆C1、C1とによって献燈台配列台座Ｂを所定の位置に所定の設置状態となるように簡単に且つ安定した状態に配列台12上に配置することができると共に、水平支持杆C1、C1の後端部に上方に向かって突設している前後一対の垂直支持杆C2、C3によって上側台座B1を支持しているので、該上側台座B1を後段に、上記下側台座B2を前段に配した立体的な献燈台配列台座Ｂ、Ｂを形成することができる。なお、この献燈台配列台座Ｂは上記固定用水平帯板材C4に設けている取付孔C5を通じてビスや釘を配列台12に打ち込むことによって固定することができる。  
【００３５】
そして、これらの献燈台配列台座Ｂ、Ｂの各献燈台主体収納枠20に献燈台Ａを配設して故人の弔いに供する。献燈台主体収納枠20は、献燈台主体１の下半部を遊嵌状態で収納、可能な平面矩形状の一定深さの空間部を備えてあり、収納枠20の上方から献燈台主体１を挿入すると、その外底面が前後受止桟材b4、b4によって受止されて下半部外周面が収納枠20に囲まれた安定した状態で簡単に設置することができると共に、献燈台主体１の背面から上方に突設している献燈者表示用透明板２に不測に傾倒する方向に外力が作用しても、献燈台主体１の前後壁面が献燈台配列台座Ｂの上枠b1の内面に係止して傾倒する虞れがない。
【００３６】
また、献燈台主体１は、上段側においてはその周囲及び下面側が上側台座B1における各献燈台主体収納枠20の空隙を通じて外部に露呈しており、下段側においては、その周壁は下側台座B2における各献燈台主体収納枠20の周囲の空隙を通じて外部に露呈していると共に下面側では、献燈台主体１の外底面を受止している前後受止桟材b4、b4を下枠b2よりも上方に配設しているので、この受止桟材b4、b4と下枠b2間には外部に連通する隙間が設けられている。従って、ロウソク３によって加熱される献燈台主体１の外周面や外底面を上記空隙部や隙間を通じて流通する空気流によって冷却することができる。
【００３７】
こうして、献燈台配列台座Ｂにおける上下台座B1、B2の各献燈台主体収納枠20に献燈台Ａを配設して、複数台の献燈台Ａを上下段状に整然と配列させ、献燈台主体１内に設置しているロウソク３の灯火によって献燈者表示用透明板２を照明して葬儀を厳かに営むことができるものである。なお、献燈台主体収納枠20は、下側台座B2に14個、上側台座B1に13個、計27個、設けていて百八煩悩の数の１／４に設定しているが、必ずしも、この個数に限定されることはない。
【００３８】
なお、以上の実施例においては、献燈台Ａにおける献燈台主体１を平面矩形状の有底短筒形状（角筒形状）に形成しているが、図14〜図19に示すように、献燈台主体1'を円筒形状に形成しておいてもよい。その他の構成については上記実施例と同じあるので、同一部分に同一符号を付して詳細な説明を省略する。
【００３９】
また、いずれの実施例においても、献燈台主体１内でロウソク３を灯すように構成しているが、図20に示すように、献燈台主体１内にロウソクに代えてスイッチ30の開閉操作によって点灯、消灯するロウソク形電灯31を配設するように構成してもよい。具体的には、上記献燈台主体１内に出し入れ可能に収納できる大きさに形成された電池ボックス33の上面にロウソクの炎形状の電灯31を交換可能に取りつけていると共に、電池ボックス33内に電池32を交換可能に収納して、この電池ぼックス33に設けているスイッチ30の開閉することにより、配線（図示せず）を通じて上記電灯31を点灯、消灯させるように構成している。その他の構成については上記実施例と同じであるので、同一部分に同一符号を付して詳細な説明を省略する。このように、ロウソク３に代えて電池32によりロウソクの炎形状の電灯31を点灯させるようにしておけば、献燈台主体１や献燈者表示用透明板２等が加熱されることはないので、耐熱性を有する合成樹脂によって形成しておく必要はない。
【図面の簡単な説明】
【００４０】
【図１】本発明葬儀用献燈台の使用状態を示す斜視図。
【図２】その縦断側面図。
【図３】献燈台の正面図。
【図４】背面図。
【図５】右側面図。
【図６】平面図。
【図７】底面図。
【図８】図３におけるＡ−Ａ線断面図。
【図９】斜視図。
【図１０】祭壇全体の簡略斜視図。
【図１１】献燈台配列台座の斜視図。
【図１２】献燈台を収納した状態の斜視図。
【図１３】その縦断側面図。
【図１４】献燈台主体を円筒形状に形成している献燈台の正面図。
【図１５】右側面図。
【図１６】平面図。
【図１７】底面図。
【図１８】斜視図。
【図１９】使用状態を示す縦断側面図。
【図２０】ロウソクに代えてロウソク形電灯を採用した献燈台の縦断側面図。
【符号の説明】
【００４１】
Ａ  献燈台
１  献燈台主体
２  献燈者表示用透明板
３  ロウソク
４  ロウソク収納有底筒
５  縦溝
5a  差込口
６  献燈者記入紙
Ｂ  献燈台配列台座
B1  上側台座
B2  下側台座
20  献燈台収納枠
【図１】
2009225902.tif 000003
【図２】
2009225902.tif 000004
【図３】
2009225902.tif 000005
【図４】
2009225902.tif 000006
【図５】
2009225902.tif 000007
【図６】
2009225902.tif 000008
【図７】
2009225902.tif 000009
【図８】
2009225902.tif 000010
【図９】
2009225902.tif 000011
【図１０】
2009225902.tif 000012
【図１１】
2009225902.tif 000013
【図１２】
2009225902.tif 000014
【図１３】
2009225902.tif 000015
【図１４】
2009225902.tif 000016
【図１５】
2009225902.tif 000017
【図１６】
2009225902.tif 000018
【図１７】
2009225902.tif 000019
【図１８】
2009225902.tif 000020
【図１９】
2009225902.tif 000021
【図２０】
2009225902.tif 000022